(57)【要約】      （修正有）【課題】構造及び収納が簡単で、携帯に便利であるとともに、ノズルを洗浄部位に隣接して設けられる歯間洗浄器を提供する。【解決手段】手動ポンプ１と、ポンプ管ユニット２とを含んでなり、手動ポンプは往復式で、本体１０と圧力桿１２とを含んでなり、本体は外部に貫通して設けられた中心管１３が軟性の管体と接続し、出水口１１を設け、圧力桿を押圧して放すと、手動ポンプが水源から管体を通して出水口に水を送り出し、管体にろ過手段を設け、本体の下方にネジ溝を具えた蓋１４を設け、蓋と管体との間の底面に補助体１６を設け、補助体と中心管との間には隙間が形成され、本体の上方には設置空間１５を設け、ポンプ管ユニットは可撓性の弾性管２０の両端にそれぞれ接続ヘッド２１と、洗浄ヘッド２２とを設け、接続ヘッドが出水口の外周縁部に接続し、該洗浄ヘッドは中空の管体で出口端に湾曲した管径が弾性管よりも小さいノズルを設け、洗浄ヘッドは挟持部を設ける。【選択図】図１
0003153720.tif 000002
【実用新案登録請求の範囲】
【請求項１】
手動ポンプと、ポンプ管ユニットとを含んでなり、
該手動ポンプは、往復式のポンプで、本体と圧力桿とを含んでなり、該本体が外部に貫通、延伸して設けられた中心管を設けてなり、軟性の管体と接続するとともに、出水口を設けてなり、圧力桿を押し圧して放すと、手動ポンプが水源から管体を通して出水口に水を抽出して送り出し、該管体にはろ過手段を設け、本体の下方にはネジ溝を具えた蓋を設け、蓋と管体との間の底面には凸出した補助体を設け、該補助体と中心管との間には隙間が形成され、本体の上方にはさらに設置空間を設け、
該ポンプ管ユニットは、可撓性の弾性管の両端にそれぞれ接続ヘッドと、洗浄ヘッドとを設けてなり、該接続ヘッドが出水口の外周縁部に接続し、該洗浄ヘッドは中空の管体であって、出口端に略４５度に湾曲したノズルを設けてなり、該ノズルの管径が弾性管よりも小さく、該洗浄ヘッドは挟持部を設けてなることを特徴とする歯間洗浄器。
【考案の詳細な説明】
【技術分野】
【０００１】
この考案は、歯洗浄器であって、特に携帯して歯間を洗浄することができる歯間洗浄器に関する。
【背景技術】
【０００２】
従来の歯間洗浄器は、水を媒介として適宜な圧力を具えた柱状の水を形成し、歯、或いは歯茎に衝撃を与えて、その間の食べ物の糟を取り除く。
【０００３】
しかしながら、従来の歯間洗浄器はほとんどが構造が複雑で、使用する場合、電源が必要になる。
【０００４】
使用者にとって、費用が比較的高い以外に、異なる地域の電圧による制限や、携帯に不便などが大きな問題である。
【０００５】
蛇口に設置して、貯水槽の水圧を利用して柱状の水を形成する従来の歯洗浄手段は、歯を洗浄する目的は簡単に達成することができる。
【０００６】
しかしながら、使用する環境において、水圧が不足する状況があるとともに、すべての蛇口に設置することができるわけではない。
【０００７】
よって、前述の歯間洗浄器は、外出する使用者にとって使用する場所が制限される。
【０００８】
従来の歯間洗浄器は、電源や水源などの制限を受けるため、使用上不便で、且つ構造や体積の問題から旅行や外出に携帯するためには不向きである。
【０００９】
このため、度々外出しなければならず、且つ歯を磨く習慣のある使用者にとって、従来の歯間洗浄器は明らかに実用的ではない。
【考案の開示】
【考案が解決しようとする課題】
【００１０】
この考案は、構造が簡単で、簡単に収納でき、携帯に便利であるとともに、電源や水源に制限されることがなく、洗浄部位とノズルとの距離を調整することができる歯間洗浄器を提供することを課題とする。
【課題を解決するための手段】
【００１１】
そこで、本考案者は従来の技術に見られる欠点に鑑みて鋭意研究を重ねた結果、手動ポンプと、ポンプ管ユニットとを含んでなり、
該手動ポンプは、往復式のポンプで、本体と圧力桿とを含んでなり、該本体が外部に貫通、延伸して設けられた中心管を設けてなり、軟性の管体と接続するとともに、出水口１１を設けてなり、圧力桿を押し圧して放すと、手動ポンプが水源から管体を通して出水口に水を抽出して送り出し、該管体にはろ過手段を設け、本体の下方にはネジ溝を具えた蓋を設け、蓋と管体との間の底面には凸出した補助体を設け、該補助体と中心管との間には隙間が形成され、本体の上方にはさらに設置空間を設け、
該ポンプ管ユニットは、可撓性の弾性管の両端にそれぞれ接続ヘッドと、洗浄ヘッドとを設けてなり、該接続ヘッドが出水口の外周縁部に接続し、該洗浄ヘッドは中空の管体であって、出口端に略４５度に湾曲したノズルを設けてなり、該ノズルの管径が弾性管よりも小さく、該洗浄ヘッドは挟持部を設けてなる歯間洗浄器の構造によって課題を解決できる点に着眼し、かかる知見に基づいて本考案を完成させた。
【００１２】
以下、この考案について具体的に説明する。
請求項１に記載の歯間洗浄器は、手動ポンプと、ポンプ管ユニットとを含んでなり、
該手動ポンプは、往復式のポンプで、本体と圧力桿とを含んでなり、該本体が外部に貫通、延伸して設けられた中心管を設けてなり、軟性の管体と接続するとともに、出水口１１を設けてなり、圧力桿を押し圧して放すと、手動ポンプが水源から管体を通して出水口に水を抽出して送り出し、該管体にはろ過手段を設け、本体の下方にはネジ溝を具えた蓋を設け、蓋と管体との間の底面には凸出した補助体を設け、該補助体と中心管との間には隙間が形成され、本体の上方にはさらに設置空間を設け、
該ポンプ管ユニットは、可撓性の弾性管の両端にそれぞれ接続ヘッドと、洗浄ヘッドとを設けてなり、該接続ヘッドが出水口の外周縁部に接続し、該洗浄ヘッドは中空の管体であって、出口端に略４５度に湾曲したノズルを設けてなり、該ノズルの管径が弾性管よりも小さく、該洗浄ヘッドは挟持部を設けてなる。
【考案の効果】
【００１３】
この考案による歯間洗浄器は、収納が簡単で携帯に便利で、必要な時にどこでも使用できるとともに、エネルギーを節減できるという効果を有する。
【００１４】
この考案による歯間洗浄器は、生産が簡単でコストを節減できるという効果を有する。
【考案を実施するための最良の形態】
【００１５】
この考案は、構造が簡単で、簡単に収納でき、携帯に便利であるとともに、電源や水源に制限されることがなく、洗浄部位とノズルとの距離を調整することができる歯間洗浄器であって、手動ポンプと、ポンプ管ユニットとを含んでなり、
該手動ポンプは、往復式のポンプで、本体と圧力桿とを含んでなり、該本体が外部に貫通、延伸して設けられた中心管を設けてなり、軟性の管体と接続するとともに、出水口を設けてなり、圧力桿を押し圧して放すと、手動ポンプが水源から管体を通して出水口に水を抽出して送り出し、該管体にはろ過手段を設け、本体の下方にはネジ溝を具えた蓋を設け、蓋と管体との間の底面には凸出した補助体を設け、該補助体と中心管との間には隙間が形成され、本体の上方にはさらに設置空間を設け、
該ポンプ管ユニットは、可撓性の弾性管の両端にそれぞれ接続ヘッドと、洗浄ヘッドとを設けてなり、該接続ヘッドが出水口の外周縁部に接続し、該洗浄ヘッドは中空の管体であって、出口端に略４５度に湾曲したノズルを設けてなり、該ノズルの管径が弾性管よりも小さく、該洗浄ヘッドは挟持部を設けてなる歯間洗浄器の構造と特徴を詳述するために具体的な実施例を挙げ、図示を参照にして以下に説明する。
【実施例】
【００１６】
図１、図２は、この考案の歯間洗浄器を示したものである。
【００１７】
この考案の歯間洗浄器は、手動ポンプ１と、ポンプ管ユニット２と、を含んでなる。
【００１８】
該手動ポンプ１は、往復式のポンプの内のどれか一種類に属する。該手動ポンプ１の本体１０は、内部に圧力室１０１を具えてなる。
【００１９】
該圧力室１０１は、少なくとも二つの単一方向弁１０２ａ、１０２ｂを設けてなる。
【００２０】
一方の内側に向けて始動する単一方向弁１０２ａは、軟性の管体１３１と外側で貫通する。
【００２１】
他方の外側に向けて始動する単一方向弁１０２ｂは、出水口１１と外側で貫通する。
【００２２】
圧力室１０１の圧力が変化すると、一方の単一方向弁が閉じて、他方の単一方向弁が始動し、液体が下方から上方にポンプにより送られる。
【００２３】
ピストン部１０３は、該圧力室１０１に貫通して接続する。該ピストン部１０３は内部に設けられたピストン１０４と、バネ１０５とを含んでなる。
【００２４】
圧力桿１２は、ピストン１０４を押し圧しするために供する。手で圧力桿１２を押し圧して放すと、ピストン１０４が往復運動を形成し、圧力室１０１の圧力がプラスマイナスの変化を形成する。
【００２５】
よって、管体１３１を洗浄液の容器の中に設けると、下方の水が上方に抽出して送られ、出水口１１から適宜な量の水を外部に放出することができる。
【００２６】
ポンプ管ユニット２は、可撓性の弾性管２０と、該弾性管２０の両側にそれぞれ設けられた接続ヘッド２１と、洗浄ヘッド２２とを含んでなる。
【００２７】
該接続ヘッド２１は、内側端縁部にネジ溝を具えてなり、手動ポンプ１の出水口１１の外周縁部に螺接される。
【００２８】
洗浄ヘッド２２は、中空の管体であって、出口端に略４５度に湾曲したノズル２２１が設けられる。
【００２９】
該ノズル２２１は、管径が弾性管２０よりも小さいため、水流のサイズを縮小すると同時に水圧を増加することができる。
【００３０】
該洗浄ヘッド２２は、挟持部２２２を設けてもよい。該挟持部２２２は、洗浄ヘッド２２を手で持ち、歯の表面の内側深くに近づけるために便利で、ノズル２２１を直接、洗浄したい部分に的確に当てることができ、洗浄の目的を有効に高めることができる。
【００３１】
図２、図３に開示するように、該手動ポンプ１は、本体１０の下方にネジ溝１４１を具えた蓋１４を設けてもよい。
【００３２】
該ネジ溝１４１は、ほとんどの飲料用の容器の蓋と符合するように形成する。
【００３３】
よって、手動ポンプ１は、水を設けた容器のビンの上方に簡単に装着して使用することができる。
【００３４】
本体１０は上方に設置空間１５を設けてもよい。該設置空間１５は、洗浄ヘッド２２を収納するために供することができるとともに、収納時にほこりを防ぐ目的を達成することができる。
【００３５】
管体１３１は、下方端縁部に重量を具えたろ過手段１３２を設けてもよく、ろ過の目的を簡単に達成することができ、ノズルがつまることを防ぐことができる。
【００３６】
図２、図４に開示するように、前述の管体１３１は、本体１０に延伸して設けられた中心管１３の端縁部に接続し、蓋１４と管体１３１との間の底面には凸出した補助体１６が設けられる。
【００３７】
該補助体１６は、中心管１３との間に隙間１６１を形成する。
【００３８】
よって、該隙間１６１を利用してマグカップなど蓋のない容器１８のカップの端縁部に挿設することができる。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４０】
【図１】この考案の歯間洗浄器を示した分解図である。
【図２】この考案の歯間洗浄器の手動ポンプを示した断面図である。
【図３】この考案の歯間洗浄器の手動ポンプをペットボトルに設けた状態を示した説明図である。
【図４】この考案の歯間洗浄器の手動ポンプを容器の端縁部に設けた状態を示した説明図である。
【符号の説明】
【００４１】
１          手動ポンプ
１０        本体
１０１      圧力室
１０２ａ、１０２ｂ 単一方向弁
１０３      ピストン室
１０４      ピストン
１０５      バネ
１１        出水口
１２        圧力桿
１３        中心管
１３１      管体
１３２      ろ過手段
１４        蓋
１４１      ネジ溝
１５        設置空間
１６        補助体
１６１      隙間
１８        容器
２          ポンプ管ユニット
２０        弾性管
２１        接続ヘッド
２２        洗浄ヘッド
２２１      ノズル
２２２      挟持部
【図１】
0003153720.tif 000003
【図２】
0003153720.tif 000004
【図３】
0003153720.tif 000005
【図４】
0003153720.tif 000006